(57)【要約】  本発明は、コストおよび廃棄物量の低減を図ることができ静電気の影響を受けることのない防塵防虫用ネットを提供することを目的とする。  防塵防虫用ネット（１０）は、複数本の鉄線（１２）によって六角形の網目が連続するように形成された網状体からなる。各々の六角形の網目に関し、少なくとも一組の対辺には撚り（１４）が施されている。また、網状体には糊などの接着剤が塗布されている。
2011108153.tif 000002
【特許請求の範囲】
【請求項１】
六角形の網目が連続して形成された網状体からなる防塵防虫用ネットであって、
前記六角形の網目の少なくとも一組の対辺には撚りが施され、
前記網状体には接着剤が塗布されていることを特徴とする、防塵防虫用ネット。
【請求項２】
前記網状体は、不燃性または難燃性の材質で形成されていることを特徴とする、請求項１に記載の防塵防虫用ネット。
【請求項３】
前記不燃性または難燃性の材質は、鉄であることを特徴とする、請求項２に記載の防塵防虫用ネット。
【請求項４】
前記接着剤は、溶剤型接着剤であることを特徴とする、請求項１から３までのいずれか１項に記載の防塵防虫用ネット。
【発明の詳細な説明】
【技術分野】
【０００１】
本発明は、工場等において塵埃や虫等の異物の作業場への侵入・飛来を防止するための防塵および防虫用のネット（網）に関する。
【背景技術】
【０００２】
従来より、例えば食品や精密機器を扱う工場において作業場への塵埃や虫等の侵入・飛来を防止するためのものとして、あるいは、廃棄物の処理工場等において作業場で生じた塵埃の外部への飛散を防止するためのものとして、あるいはまた、農場において果樹等への虫の付着を防止するためのものとして、防塵用ネットや防虫用ネット（以下、両者をまとめて「防塵防虫用ネット」ともいう。）が使用されている。【０００３】
このような防塵防虫用ネットは、一般的には、図７に示すように、四角形の網目が形成されるように複数本の縦糸９１と複数本の横糸９２とによって構成されている。縦糸９１および横糸９２としては、例えば樹脂糸が採用されている。網目のサイズや縦糸９１および横糸９２のサイズ（径）については、侵入・飛来を防止する対象物（塵埃や虫等）の大きさや通気性などを考慮して決定される。【０００４】
なお、本件発明に関連して、以下の先行技術文献が知られている。日本の特開２００７−６７２２号公報には、粘着剤が塗布された網からなる防塵防虫用ネットの発明が開示されている。日本の特開２００７−２９１７８８号公報には、無薬剤網に対して薬剤付網が重ねられ複数の面ファスナーで接合した構造を有する防虫網具の発明が開示されている。日本の特開２００３−２６２０８０号公報には、網戸枠にハニカム網（六角形の網）を用いた網戸の発明が開示されている。日本の特開２００９−１９５２０１号公報には、六角形の網目を有する防塵防虫用ネットの発明が開示されている。
【先行技術文献】
【特許文献】
【０００５】
【特許文献１】日本の特開２００７−６７２２号公報
【特許文献２】日本の特開２００７−２９１７８８号公報
【特許文献３】日本の特開２００３−２６２０８０号公報
【特許文献４】日本の特開２００９−１９５２０１号公報
【発明の概要】
【発明が解決しようとする課題】
【０００６】
日本の特開２００７−６７２２号公報に開示された防塵防虫用ネットには、防虫効果を高めるために粘着剤が塗布されている。このような防塵防虫用ネットにおいて粘着剤の粘着力が低下したときや多量の塵あるいは虫が粘着剤に付着したときには、防塵防虫用ネットの取り替えや洗浄が必要となる。この点に関し、上述した従来技術における防塵防虫用ネットにおいては、ネット全体の取り替えや洗浄が必要となり、高コストとなる。また、ネットを取り替える毎に古い方のネットが廃棄されると、廃棄物の量が大きくなるので、環境面からも好ましくない。以上のように高コストである点や廃棄物の量が大きくなる点については、特にネットの取り替えが頻繁に行われる工場においては顕著となる。【０００７】
また、樹脂糸で形成された防塵防虫用ネットについては、静電気が生じるおそれがある。このため、精密機器が設置されている場所では、樹脂糸で形成された防塵防虫用ネットを採用することは好ましくない。さらに、例えば日本の消防法による規制のため、樹脂糸で形成された防塵防虫用ネットを設置することができない場所もある。【０００８】
そこで本発明は、コストおよび廃棄物量の低減を図ることができ、静電気の影響を受けることのない防塵防虫用ネットを提供することを目的とする。
【課題を解決するための手段】
【０００９】
本発明の第１の局面は、六角形の網目が連続して形成された網状体からなる防塵防虫用ネットであって、
前記六角形の網目の少なくとも一組の対辺には撚りが施され、
前記網状体には接着剤が塗布されていることを特徴とする。【００１０】
本発明の第２の局面は、本発明の第１の局面において、
前記網状体は、不燃性または難燃性の材質で形成されていることを特徴とする。【００１１】
本発明の第３の局面は、本発明の第２の局面において、
前記不燃性または難燃性の材質は、鉄であることを特徴とする。【００１２】
本発明の第４の局面は、本発明の第１から第３までのいずれかの局面において、
前記接着剤は、溶剤型接着剤であることを特徴とする。
【発明の効果】
【００１３】
本発明の第１の局面によれば、網状体を形成する六角形の網目には、撚りが施されている部分が存在する。撚りが施されている部分では接着剤が網目に絡まりやすいので、単なる１本の糸状体に接着剤が塗布された場合と比較して、網状体への接着剤の保持力が高くなる。従って、防塵防虫用ネットの取り替えや洗浄の頻度を従来よりも少なくすることができる。これにより、コストの低減および破棄物量の低減が実現される。【００１４】
本発明の第２の局面によれば、網状体が不燃性または難燃性の材質で形成されているので、例えば日本の消防法による規制を受けることなく防塵防虫用ネットを使用することができる。【００１５】
本発明の第３の局面によれば、網状体の材質として鉄が採用されているので、樹脂が採用されているものと比較して、網状体からの接着剤の除去が容易になる。また、樹脂が採用されているものとは異なり、静電気の影響を受けることがないので、例えば精密機器が設置されているような場所において静電気対策が不要となる。【００１６】
本発明の第４の局面によれば、網状体に塗布された接着剤は溶剤によって除去され得る。このため、接着剤の接着力が低下したときなど網状体を容易に再利用することが可能となり、効果的にコストおよび廃棄物量の低減を図ることができる。
【図面の簡単な説明】
【００１７】
【図１】本発明の一実施形態に係る防塵防虫用ネットの平面図である。
【図２】上記実施形態において、防塵防虫用ネットの構成について説明するための模式図である。
【図３】上記実施形態における防塵防虫用ネットの部分拡大図である。
【図４】上記実施形態において、防塵防虫用ネットを図１で符号１５の矢印で示す方向から見た図である。
【図５】上記実施形態において、防塵防虫用ネットを図１で符号１５の矢印で示す方向から見た別の例の図である。
【図６】上記実施形態において、効果について説明するための図である。
【図７】従来の典型的な防塵防虫用ネットの斜視図である。
【発明を実施するための形態】
【００１８】
以下、添付図面を参照しつつ本発明の一実施形態について説明する。
【００１９】
＜１．防塵防虫用ネットの構成＞
図１は、本発明の一実施形態に係る防塵防虫用ネット１０の平面図である。この防塵防虫用ネット１０は、図１の左右方向および上下方向に六角形の網目が連続して形成された網状体によって構成されている。各々の六角形の網目に関し、一組の対辺には撚り１４が施されている。これについての詳しい説明は後述する。
【００２０】
本実施形態においては、網状体の材質には鉄が採用されている。すなわち、網状体は複数本の鉄線１２によって形成されている。詳しくは、図２に示すように、互いに隣接する２本の鉄線１２が符号１３で示す部分で撚りを形成するように半六角形の波形状の複数本の鉄線１２が連結されることによって、網状体が形成されている。また、網状体には糊などの接着剤が塗布されている。
【００２１】
図３は、図１で符号１１で示す部分（一つの網目）の拡大図である。図３に示すように、六角形の網目を構成する辺（６個の辺）のうち一組の対辺には撚り１４が施されている。この撚り１４は、上述したように、互いに隣接する２本の鉄線１２によって形成されている。なお、この撚り１４によって、網目の一辺につき典型的には３個のループが形成される。網目の長手方向の長さＬ１については、典型的には６ミリメートルから７ミリメートルとされる。網目の短手方向の長さＬ２については、典型的には約５ミリメートルとされる。鉄線１２の太さ（直径）については、例えば約０．４ミリメートルとされる。
【００２２】
図４は、防塵防虫用ネット１０を図１で符号１５の矢印で示す方向から見た図である。図４に示すように、防塵防虫用ネット１０を形成する網状体の一面には接着剤１６が塗布されている。また、図５に示すように、網状体の両面に接着剤１６が塗布されていても良い。
【００２３】
なお、一組の対辺に撚り１４が施された六角形の網目からなる図１に示したようなネットについては、いわゆる亀甲金網を作製する公知の手法によって作製することができる。
【００２４】
＜２．効果＞
以上のように、本実施形態によれば、防塵防虫用ネット１０は六角形の網目を有する網状体からなり、当該網目を構成する６個の辺のうちの一組の対辺には撚り１４が施されている。このため、図６で符号１７で示す部分のように、互いに隣接する２本の鉄線１２ａ，１２ｂと接着剤とが絡まりやすい場所が存在し、１本の鉄線・樹脂糸等に接着剤が塗布された場合と比較して、網状体への接着剤の保持力が高くなる。これにより、防塵防虫用ネット１０の取り替えや洗浄の頻度を従来よりも少なくすることが可能となり、コストの低減および破棄物量の低減が実現される。
【００２５】
また、本実施形態においては、網状体の材質として鉄が採用されている。このため、網状体の材質に樹脂が採用されている防塵防虫用ネット１０と比較して、網状体からの接着剤の除去が容易になる。さらに、網状体の材質に樹脂が採用されている防塵防虫用ネット１０とは異なり、静電気の影響を受けることがないので、例えば精密機器が設置されているような場所において静電気対策が不要となる。
【００２６】
＜３．その他＞
上記実施形態においては、網状体の材質として鉄が採用されているが、本発明はこれに限定されない。網状体の材質として、鉄以外に、例えば、アルミニウム，銅などが採用されていても良いし、鉄，アルミ，銅などの素材のうちの２種類以上の素材の混合物が採用されていても良い。なお、不燃性または難燃性の材質を採用することによって、例えば日本の消防法による規制を受けることがないという効果が得られる。
【００２７】
また、網状体に塗布する接着剤として溶剤型の接着剤を採用した構成であっても良い。この構成によると、網状体に塗布された接着剤を溶剤によって除去することができるので、接着剤の粘着力が低下したときなど当該網状体を容易に再利用することが可能となる。これにより、効果的にコストおよび廃棄物量の低減を図ることができる。
【００２８】
＜４．従来技術との対比＞
最後に、本発明と従来技術との相違点、当該相違点に基づく本発明の有利な効果について説明する。日本の特開２００７−６７２２号公報あるいは日本の特開２００７−２９１７８８号公報に記載の防塵防虫用ネット等には、本発明に係る防塵防虫用ネットと同様、粘着剤（接着剤）等が塗布されている。しかしながら、それら従来技術における防塵防虫用ネット等の網目はいずれも四角形であって、網目に撚りは施されていない。これに対して、本発明に係る防塵防虫用ネットについては、網目は六角形であって、撚りが施されている。撚りが施されている部分では接着剤が網目に絡まりやすいので、本発明に係る防塵防虫用ネットにおいては、従来の防塵防虫用ネットと比較して、網状体への接着剤の保持力が高くなる。従って、防塵防虫用ネットの取り替えや洗浄の頻度を従来よりも少なくすることができ、コストおよび破棄物量の低減が実現される。
【００２９】
日本の特開２００３−２６２０８０号公報あるいは日本の特開２００９−１９５２０１号公報に記載の防塵防虫用ネット等では、本発明に係る防塵防虫用ネットと同様、六角形の網目が採用されている。それら従来技術における防塵防虫用ネット等については、網目に接着剤が塗布されていない。これに対して、本発明に係る防塵防虫用ネットには接着剤が塗布されているので、接着剤に塵埃や虫等が付着することによって効果的に防塵防虫が行われる。
【符号の説明】
【００３０】
１０…防塵防虫用ネット
１２…鉄線
１４…撚り
１６…接着剤（糊など）
Ｌ１…網目の長手方向の長さ
Ｌ２…網目の短手方向の長さ
【図１】
2011108153.tif 000003
【図２】
2011108153.tif 000004
【図３】
2011108153.tif 000005
【図４】
2011108153.tif 000006
【図５】
2011108153.tif 000007
【図６】
2011108153.tif 000008
【図７】
2011108153.tif 000009
【国際調査報告】
2011108153.tif 000010
2011108153.tif 000011
2011108153.tif 000012
2011108153.tif 000013